(57)【要約】【課題】  出荷国となる各国の設定パラメータをメモリに格納する各国パラメータ格納手段と、使用者が複数の各国設定パラメータの中から１つを選択する各国パラメータ選択手段を備え、選択された各国設定パラメータを、メモリに格納する通信装置において、ハードウェアに対応していない出荷国が設定されることを防止することができ、装置が正常に動作しなくなることを防ぐことができ、また、他の仕向地への転用も可能であるようにする。【解決手段】  工場出荷時に各出荷国を複数のグループに分け、その中の１つのグループを設定する出荷国グループ設定手段を設け、使用者が各国パラメータ選択手段によって各国設定パラメータを選択する際、出荷国グループ設定手段によって設定された出荷国グループに対応した出荷国の中から各国設定パラメータを選択させる。【選択図】  図１
2005354494.tif 000002
【特許請求の範囲】
【請求項１】
出荷国の設定パラメータを、メモリに格納する各国パラメータ格納手段と、使用者が、複数の各国設定パラメータの中から１つを選択する各国パラメータ選択手段を備え、上記各国パラメータ選択手段によって選択された各国設定パラメータを、上記各国パラメータ格納手段がメモリに格納する通信装置において、
上記通信装置の出荷先となる国を複数の出荷国グループに分け、その中の１つのグループを設定する出荷国グループ設定手段と；
使用者が、上記各国パラメータ選択手段によって各国設定パラメータを選択する際に、上記出荷国グループ設定手段によって設定された出荷国グループに対応する出荷国の中から各国設定パラメータを選択させるように指示する選択指示手段と；
を有することを特徴とする通信装置。
【請求項２】
請求項１において、
ハードウェアの種類に対応して、上記出荷国グループを分けることを特徴とする通信装置。
【請求項３】
出荷国の設定パラメータを、メモリに格納する各国パラメータ格納工程と、使用者が、複数の各国設定パラメータの中から１つを選択する各国パラメータ選択工程を備え、上記各国パラメータ選択工程によって選択された各国設定パラメータを、上記各国パラメータ格納工程がメモリに格納する通信装置の制御方法において、
上記通信装置の出荷先となる国を複数の出荷国グループに分け、その中の１つのグループを設定する出荷国グループ設定工程と；
使用者が、上記各国パラメータ選択工程によって各国設定パラメータを選択する際に、上記出荷国グループ設定工程によって設定された出荷国グループに対応する出荷国の中から各国設定パラメータを選択させるように指示する選択指示工程と；
を有することを特徴とする通信装置の制御方法。
【請求項４】
請求項３において、
通信装置のハードウェアの種類に対応して、上記出荷国グループを分けることを特徴とする通信装置の制御方法。
【発明の詳細な説明】
【技術分野】
【０００１】
本発明は、仕向地ごとに、異なる規格や仕様に対応するプログラムやパラメータを共通のＲＯＭに格納し、設定された仕向地に対応するプログラムやパラメータを、共通のＲＯＭから読み出し、制御を行う通信装置に関する。
【背景技術】
【０００２】
従来の通信装置において、仕向地を設定する場合、工場出荷時に、仕向地を設定している。
【０００３】
たとえば、ＮＣＵ基板上に形成された代替部分回路と、これらの代替部分回路を切換えるリレーおよびアナログスイッチと、各国毎に通信制御用およびＮＣＵ用パラメータを記憶した国別パラメータテーブルと、バッテリーバックアップされ、国を示す情報又は上記パラメータを記憶する国設定エリア４−１とを備え、電源投入時の国を示すデータの入力（ＩＳＯの規定の国コード入力）により、あるいは電源投入時に国の指定がなければ国設定エリアに記憶されているデータにより電話通信規格に適合するようにＮＣＵ基板の代替部分回路を切換え、通信制御用パラメータを設定してファクシミリの通信制御を行うものがあった（たとえば、特許文献１参照）。
【０００４】
他にも、製品の出荷先となる国ごとにパラメータを設定する発明が知られている（たとえば、特許文献２参照）。
【特許文献１】特開平１０−７５３２２号公報
【特許文献２】特開平１１−２７５２４７号公報
【発明の開示】
【発明が解決しようとする課題】
【０００５】
しかし、上記従来の通信装置において、工場以外の場所では、その通信装置の仕向地を変更できないので、販売地域において、上記通信装置を、他の仕向地に転用することができないという問題ある。
【０００６】
また、上記従来例では、仕向地設定を行うことによって作業工程が増え、生産コストが上昇するという問題がある。
【０００７】
そこで、工場出荷時に仕向地設定を行わずに、装置を出荷し、使用者が装置を最初に使用する際に、仕向地を設定させる方法が考えられている。
【０００８】
ところが、この方法では、ハードウェアが全仕向地に対して共通である場合には問題ないが、仕向地によっては、ハードウェアが変更される場合でも、使用者に対して全ての仕向地が選択できるので、ハードウェアに対応していない仕向地が設定され、装置が正常に動作しない場合があるという問題がある。
【０００９】
本発明は、出荷国となる各国の設定パラメータをメモリに格納する各国パラメータ格納手段と、使用者が複数の各国設定パラメータの中から１つを選択する各国パラメータ選択手段を備え、上記各国パラメータ選択手段によって選択された各国設定パラメータを上記各国パラメータ格納手段によってメモリに格納する通信装置において、ハードウェアに対応していない出荷国が設定されることを防止することができ、装置が正常に動作しなくなることを防ぐことができるとともに、他の仕向地への転用も可能である通信装置を提供することを目的とするものである。
【課題を解決するための手段】
【００１０】
本発明は、出荷国となる各国の設定パラメータをメモリに格納する各国パラメータ格納手段と、使用者が複数の各国設定パラメータの中から１つを選択する各国パラメータ選択手段を備え、上記各国パラメータ選択手段によって選択された各国設定パラメータを上記各国パラメータ格納手段によってメモリに格納する通信装置において、出荷先となる国を複数の出荷国グループに分け、その中の１つのグループを設定する出荷国グループ設定手段を設け、使用者が上記各国パラメータ選択手段によって各国設定パラメータを選択する際、上記出荷国グループ設定手段によって設定された出荷国グループに対応した出荷国の中から各国設定パラメータを選択させる通信装置である。
【発明の効果】
【００１１】
本発明によれば、出荷国となる各国の設定パラメータをメモリに格納する各国パラメータ格納手段と、使用者が複数の各国設定パラメータの中から１つを選択する各国パラメータ選択手段を備え、上記各国パラメータ選択手段によって選択された各国設定パラメータを上記各国パラメータ格納手段によってメモリに格納する通信装置において、出荷先となる国を複数の出荷国グループに分け、その中の１つのグループを設定する出荷国グループ設定手段を設け、使用者が上記各国パラメータ選択手段によって各国設定パラメータを選択する際、上記出荷国グループ設定手段によって設定された出荷国グループに対応した出荷国の中から各国設定パラメータを選択させるので、ハードウェアに対応していない出荷国が設定されることを防止することができ、装置が正常に動作しなくなることを防ぐことができるとともに、他の仕向地への転用も可能であるという効果を奏する。
【発明を実施するための最良の形態】
【００１２】
発明を実施するための最良の形態は、次の実施例である。
【実施例１】
【００１３】
図１は、本発明の実施例１である通信装置１００を示す図である。
【００１４】
通信装置１００は、出荷国の設定パラメータを、メモリに格納する各国パラメータ格納手段と、使用者が、複数の各国設定パラメータの中から１つを選択する各国パラメータ選択手段を備え、上記各国パラメータ選択手段によって選択された各国設定パラメータを、上記各国パラメータ格納手段がメモリに格納する通信装置であり、ＣＰＵ１０１と、ＲＯＭ１０２と、ＮＶＲＡＭ１０３と、ＲＡＭ１０４と、表示部１０５と、読取部１０６と、記録部１０７と、操作部１０８と、ＭＯＤＥＭ１０９と、ＮＣＵ１１０とを有する。
【００１５】
ＣＰＵ１０１は、通信装置１００の制御を行い、ＲＯＭ１０２は、通信装置１００の制御プログラムや仕向地別のパラメータ等を格納するメモリである。
【００１６】
ＮＶＲＡＭ１０３は、各種設定データと動作モード変数とを格納する不揮発性メモリである。ＲＡＭ１０４は、画像データを格納するメモリであり、動作に必要なワークメモリとして使用するメモリである。
【００１７】
表示部１０５は、通信装置１００の状態等を表示する。読取部１０６は、送信やコピーを行う際、原稿を読み取る。記録部１０７は、受信した画像やコピーで読み取った画像を記録する。
【００１８】
操作部１０８は、複数のキーによって構成され、各種パラメータの設定や操作の指示を行う。ＭＯＤＥＭ１０９は、読取部で読み取った画像と受信した画像とを符号化／復号化する。ＮＣＵ１１０は、通信やパルス信号の送出のために網制御する。また、ＮＣＵ１１０は、それぞれ出荷国の規格に対応するために、回路構成が異なる数種類のＮＣＵが存在する。
【００１９】
操作部１０８とＣＰＵ１０１とＲＯＭ１０２とは、通信装置の工場出荷時に、各出荷国を複数のグループに分け、その中の１つのグループを設定する出荷国グループ設定手段の例である。
【００２０】
また、操作部１０８とＣＰＵ１０１とＲＯＭ１０２とは、使用者が、上記各国パラメータ選択手段によって各国設定パラメータを選択する際に、上記出荷国グループ設定手段によって設定された出荷国グループに対応する出荷国の中から各国設定パラメータを選択させるように指示する選択指示手段の例である。
【００２１】
次に、実施例１において、工場で出荷する際の設定について説明する。
【００２２】
操作部１０８上のキー（図示せず）を操作し、出荷国グループ設定モードに入る。
【００２３】
図２は、実施例１において、出荷国グループのリストの例を示す図である。
【００２４】
出荷国グループを選択する場合、図２に示す複数のグループの中から、１つのグループを選択し、ＮＶＲＡＭ１０３内に格納する。
【００２５】
次に、使用者が、最初に通信装置１００を使用する際の国設定について、説明する。
【００２６】
図３は、実施例１において、使用者が、通信装置１００を、最初に使用する際の国設定動作を示すフローチャートである。
【００２７】
使用者が、通信装置１００の電源を投入すると、通信装置１００が立ち上がる。この時に、ＮＶＲＡＭ１０３に格納されている国設定完了フラグを読み出し、国設定完了フラグがオンで無い場合は、国設定が行われていないので、国設定モードに移行する。
【００２８】
国設定モードは、工場出荷時に設定された出荷国グループ設定を読み出すモードであり、この国設定モードを実行する（Ｓ２０１）。ＲＯＭ１０２内から、該当する出荷国グループテーブルにおける最初の国名を表示させるために、変数Ｎに１をセットし（Ｓ２０２）、Ｎ番目の国名を、表示部１０５に表示する（Ｓ２０３）。たとえば、出荷国グループ設定が１である場合、表示部１０５に、「イギリス」が表示される。
【００２９】
操作部１０８上のスクロールキー（図示せず）が押下される度に（Ｓ２０４）、次の国名を表示するために、変数Ｎに１を加える（Ｓ２０５）。変数Ｎが、出荷国グループテーブルの国の数よりも大きければ、最初の国名を、再び表示するために、Ｓ２０２に戻り、そうでなければ、Ｓ２０３に戻る（Ｓ２０６）。
【００３０】
Ｓ２０４では、スクロールキーが押下されないと、Ｓ２０７に進み、操作部１０８上のセットキー（図示せず）を押下されたかどうかを判断し、押下されていなければ、Ｓ２０４に戻り、キー押下待ち状態になる。セットキーが押下されると（Ｓ２０７）、Ｓ２０８に進み、出荷国グループテーブルのＮ番目の国設定を行い、設定された国のパラメータ等がＮＶＲＡＭ１０３内に格納される。
【００３１】
最後に、国設定完了フラグをオンにして終了する（Ｓ２０９）。
【００３２】
上記実施例によれば、出荷国となる各国の設定パラメータをメモリに格納する各国パラメータ格納手段と、使用者が複数の各国設定パラメータの中から１つを選択する各国パラメータ選択手段を備え、上記各国パラメータ選択手段によって選択された各国設定パラメータを上記各国パラメータ格納手段によってメモリに格納する通信装置において、工場出荷時に各出荷国を複数のグループに分け、その中の１つのグループを設定する出荷国グループ設定手段を設け、使用者が上記各国パラメータ選択手段によって各国設定パラメータを選択する際、上記出荷国グループ設定手段によって設定された出荷国グループに対応した出荷国の中から各国設定パラメータを選択させるので、ハードウェアに対応していない出荷国が設定されることを防止することができ、装置が正常に動作しなくなることを防ぐことができるとともに、他の仕向地への転用も可能である
【実施例２】
【００３３】
本発明の実施例２は、実施例１において、図２の出荷国グループ分けとして、装備されたＮＣＵの分類（ハードウェアの種類）と一致するようにグループ分けしてテーブルに書き込む。向上出荷時には、ＮＣＵの分類に一致する出荷国グループを出荷時のパラメータとしてセットする作業を行う。また、ＮＣＵの分類を自動的に検出して出荷国のグループ設定を行っても良い。
【００３４】
これにより、ハードウェアと一致する出荷国グループの国のみが、ユーザに選択可能な国となり、ハードウェアに対応していない出荷国が設定されることを防止することができ、装置が正常に動作しなくなることを防ぐことができるとともに、ハードウェアを変更すれば、他の仕向地への転用も可能とすることが出来る。
【図面の簡単な説明】
【００３５】
【図１】本発明の実施例１である通信装置１００を示す図である。
【図２】実施例１において、出荷国グループのリストの例を示す図である。
【図３】実施例１において、使用者が、通信装置１００を、最初に使用する際の国設定動作を示すフローチャートである。
【符号の説明】
【００３６】
１００…通信装置、
１０１…ＣＰＵ、
１０２…ＲＯＭ、
１０３…ＮＶＲＡＭ、
１０４…ＲＡＭ、
１０５…表示部、
１０６…読取部、
１０７…記録部、
１０８…操作部、
１０９…ＭＯＤＥＭ、
１１０…ＮＣＵ。
【図１】
2005354494.tif 000003
【図２】
2005354494.tif 000004
【図３】
2005354494.tif 000005